(57)【要約】      （修正有）【課題】水槽を用いた釣り堀において、一旦掛かった放流魚等から釣針が外れた際、その反動で釣竿がしなり、釣針が跳ね回り、遊戯者や観覧者に当たることを防ぐ、釣り堀水槽用安全設備を提供する。【解決手段】釣り堀用水槽３の水槽側壁３１上部に基礎部分が固定され、水槽３内側方向へ傾斜して設置された支持柱１と、その支持柱１の先端部に支持され、水槽側壁３１から水槽３内側方向に所定の水平距離を隔て、水槽側壁３１上端から上方に所定の鉛直距離を隔てた位置に、水槽側壁３１の内周形状に対応するよう架設された水平部材２と、から構成される。【選択図】図２
0003192046.tif 000002
【実用新案登録請求の範囲】
【請求項１】
釣り堀用水槽の水槽側壁から水槽内側方向に所定の水平距離を隔て、水槽側壁上端から上方に所定の鉛直距離を隔てた位置に架設された水平部材からなる、釣り堀水槽用安全設備。
【請求項２】
釣り堀用水槽の水槽側壁上部に基礎部分が固定され、水槽内側方向へ傾斜して設置された支持柱と、
前記支持柱の先端部に支持され、前記水槽の水槽側壁から水槽内側方向に所定の水平距離を隔て、水槽側壁上端から上方に所定の鉛直距離を隔てた位置に架設された水平部材と、
からなる、釣り堀水槽用安全設備。
【請求項３】
釣り堀用水槽の水槽側壁上部に基礎部分が固定され、水槽内側方向へ傾斜して設置された支持柱と、
前記支持柱の先端部に支持され、前記水槽の水槽側壁から水槽内側方向に所定の水平距離を隔て、水槽側壁上端から上方に所定の鉛直距離を隔てた位置に、水槽側壁の内周形状に対応するよう架設された水平部材と、
からなる、釣り堀水槽用安全設備。
【請求項４】
底面部分と側壁部分とからなる水槽であって、
前記側壁部分に、請求項１、請求項２又は請求項３に記載した釣り堀水槽用安全設備を備えたことを特徴とする、釣り堀用水槽。
【考案の詳細な説明】
【技術分野】
【０００１】
本考案は、釣り堀用水槽に設置する安全設備に関するものである。
【背景技術】
【０００２】
盥による金魚釣り等を除くと、旧来の釣り堀は屋外の自然又は人工の河川や湖沼、養魚池を利用したものであったが、今日では屋内外において、地面又は床面に水槽を設置し、あるいは水槽の全部又は一部を地面又は床面に埋設した釣り堀も多い。
そうした水槽釣り堀では、通常、数グラム程度の重量の金魚やタナゴ等から、数百グラムから１キログラム程度以上の重量となる鯉、鯛、伊勢海老等の魚類や甲殻類が放流されており、釣り堀での遊戯者による釣りの対象物（以下、「放流魚等」という。）とされている。
【０００３】
これら屋内外の水槽釣り堀における釣りにおいては、釣針が一旦、放流魚等に掛かった後、掛かりが浅い等の理由によって外れることがある。
放流魚等の重量が大きいため釣竿がたわんでいるときに釣針が外れると、反動で釣竿が反対方向にしなり、振れ回る。これにより、釣針も、釣竿先端を中心として、道糸及びハリスの長さの範囲内で周囲を跳ね回ることになる。また、釣針が外れた際に、遊技者が釣竿を立て過ぎたり、振り過ぎたりする場合も同様に、釣針が釣竿先端を中心として周囲を跳ね回る。
【０００４】
水槽釣り堀は、旧来の屋外釣り堀に比較して一般に小規模である。また、使用する釣竿も約１ｍから２ｍの比較的短いものが使用され、特に約１ｍ前後の長さのものがよく用いられている。そうした事情から、隣接する遊戯者同士の間隔も狭くなりがちである。
そのため、水槽釣り堀においては、釣針が放流魚等から外れた際、この跳ね回る釣針が釣りをしている遊戯者本人や、周囲にいる遊戯者又は観覧者に当たって怪我等の原因になりやすくなっており、危険である。
【０００５】
この改善策として、釣針が遊戯者等に刺さった場合でも抜け易いように、返しのない釣針を用いるのが一般的である。
しかしながら、返しのない釣針を用いる場合であっても、勢いよくはね跳んだ釣針が当たれば周囲の遊戯者等は怪我をする危険があり、これが運悪く目に当たれば失明するおそれもある。
【０００６】
屋外の釣り人向けの安全設備として、参考文献１の転落防止柵、また釣り堀における安全設備として、参考文献２の水面上方を覆う足場板、釣用孔、及び仕切り網、といったものが知られているが、これらはいずれも、放流魚等から外れた釣針が遊戯者等に突き刺さることを防止するものではない。
【先行技術文献】
【特許文献】
【０００７】
【特許文献１】実開平０５−０５８７７０号公報
【０００８】
【特許文献２】特開２００８−０２２７９５号公報
【考案の概要】
【考案が解決しようとする課題】
【０００９】
水槽を用いた釣り堀において、放流魚等の重量が大きいため釣竿がたわんだときに釣針が放流魚等から外れると、反動で釣竿がしなることにより、釣針が釣竿先端を中心として周囲を跳ね回る。また、釣針が外れた際に、遊技者が釣竿を立て過ぎたり、振り過ぎたりする場合も同様に、釣針が釣竿先端を中心として周囲を跳ね回る。
そのような場合に、跳ね回る釣針が遊戯者本人又は周囲の遊戯者・観覧者に当たると怪我や失明の原因となる恐れがあり、危険である。
【課題を解決するための手段】
【００１０】
本考案は、底面部分と側壁部分とからなる釣り堀用水槽において、その側壁部分（以下、「水槽側壁」という。）から水槽内側方向に所定の水平距離を隔て、水槽側壁上端から上方に所定の鉛直距離を隔てた位置に架設された水平部材からなる、釣り堀水槽用安全設備である。
【００１１】
水平部材は、釣竿先端の跳ね上がり等を防止するように架設するものである。
水平部材は、釣針が外れた場合の反動で釣竿先端が跳ね上がる場合に、釣竿先端が水平部材に衝突し、水平部材の高さを超えて釣竿先端が跳ね上がらないようにするものである。また、遊技者が釣竿を立て過ぎたり、振り過ぎたりする場合も同様に、遊戯者により持ち上げられる釣竿先端が水平部材に当たり、釣竿先端を水平部材の高さよりも上方に持ち上げることができないようにするものである。
【００１２】
また、水平部材は、事故につながるような遊戯者の動作を制限するように架設するものである。
遊技者は釣竿先端を水平部材より上へ持ち上げることができないため、釣れた放流魚等を取り込む際にも、一旦、釣竿先端を水平部材位置よりも遊戯者の手前側へ引き寄せて取り込む必要がある。仮に、釣針が放流魚等にしっかり掛かっていない場合には、放流魚等を引き寄せ、取り込むことは困難である。逆に、釣針が放流魚等にしっかり掛かっていれば、これらを引き寄せて取りこむ動作中に釣針が外れて遊戯者等に当たる事故は起こりにくくなる。
【００１３】
上述した水平部材を所定の位置に保持するには、水槽自体に、又は水槽周囲の建造物や、水槽が設置される建築物内部の造作等に、水平部材の固定手段を設ける必要がある。この固定手段として、水槽内底面部分若しくは水槽側壁に支持物を設け、又は水槽周囲に支持物を設けて、この一又は二以上の支持物に水平部材を固定することとすれば、水槽設置場所ごとに水平部材の固定場所・固定手段を工夫する手間が省ける。
【００１４】
そこで本考案は、上述した水平部材を、釣り堀用水槽の水槽側壁上部に基礎部分が固定され、水槽側壁の内側方向へ傾斜して設置された支持柱の先端部に支持して、釣り堀水槽用安全設備とするものである。
【００１５】
支持柱は、水平部材を支持するとともに、釣竿先端の左右方向への振れ回りを防止するように設置するものである。
放流魚等から釣針が外れた反動で釣竿先端が左右方向へ振れるとき、釣竿先端は支持柱に衝突し、支持柱の位置を超えて左右方向へ振れることがない。遊技者が釣竿を振り過ぎた場合も同様に、釣竿先端の左右方向への振れが制限される。
【００１６】
また、支持柱は、遊戯者を適切な釣り座位置へと誘導するように設置するものである。
支持柱を設置した位置は釣り座として利用し難くなる。そのため、放流魚等の種類や釣竿長さ等から想定される釣り座間隔を基準として適当な支持柱間隔を設定すれば、物理的に、また心理的にも、遊戯者を適切な釣り座位置へと誘導し易くなる。
【００１７】
例えば、釣り座間隔と同程度の支持柱間隔となるように支持柱を設置すれば、一支持柱間に一遊戯者となるように釣り座位置を誘導できる。そこで、放流魚等の取り込み時の竿上げ、タモ入れなどには十分でありながらも事故が発生しにくい、適切な遊戯者間隔を確保し易くなる。
【００１８】
上述した水平部材は、水槽側壁外側に釣り座を設けない箇所ないし区間にまで水平部材を架設する必要はない。しかし、釣り座を設ける箇所ないし区間においては、水槽側壁に沿って途切れることなく連続的に、水平部材を架設することが望ましい。
【００１９】
そこで本考案は、水槽側壁外側に釣り座を設ける箇所ないし区間において、平面図に表れる水平部材の架設形状が、水槽側壁の内周形状に対応するような形状となるよう、水平部材を架設するものである。
【００２０】
ここに、「水槽側壁の内周形状」とは、平面図に外形線として表れる水槽側壁の内壁面の輪郭形状である。また、水平部材を「水槽側壁の内周形状に対応するような形状となるよう」架設するとは、水平部材を、水槽側壁の内壁面に沿って、水槽側壁上端に対し所定の水平距離及び鉛直距離を保ちながら、これと略平行となるように架設することである。
【００２１】
水平部材をそのように架設することによって、水平部材の架設箇所・区間においては、平面図に表れる水槽側壁内周の任意区間の形状に対し、水平部材がほぼ同形状に平面図に表れることとなる。
【００２２】
なお、通常の水槽では水槽側壁は壁厚一定である場合が多く、また鋼板製・樹脂製等の水槽であっても、壁厚一定の水槽と同様に考えられる場合が多い。そうした場合には水槽側壁の内壁面と外壁面は平行なので、水平部材は水槽側壁の外周形状についても、これに対応するような形状に架設されることとなる。
【００２３】
本考案にかかる安全設備は、釣り堀用水槽として用いられているコンクリート製、樹脂製、鋼板製等、既存の水槽に適用することが可能であるが、既存水槽又はその周囲に多少の加工ないし工作を加える必要がある。
そこで、水槽に多少の加工ないし工作を加えることなく支持柱基礎部分を固定できるように、水槽側壁上端にアンカーボルト用ネジ穴若しくはスタッドボルトを備えた水槽、支持柱基礎部分を装着・固定するための台座を備えた水槽や、最初から水槽側壁上端に支持柱を埋設してある水槽等を製作・設置することも考えられる。
そうすれば、上述した支持柱及び水平部材を容易に設置することができる。
【考案の効果】
【００２４】
水平部材は、釣竿先端の跳ね上がり等を防止する。
放流魚等から釣針が外れた反動で釣竿先端の跳ね上がるとき、釣竿先端は水平部材に衝突し、水平部材が設置された高さを超えて跳ね上がることがない。また、遊技者が釣竿を立て過ぎたり、振り過ぎたりした場合も同様に、釣竿先端の高さが制限される。
これにより、釣竿先端の跳ね上がり等により釣針が釣竿先端を中心として周囲を跳ね回ることに起因する事故を防止できる。
【００２５】
また水平部材は、事故につながるような遊戯者の動作を防止する。
遊技者は釣竿先端を水平部材より上へ持ち上げることができないため、釣れた放流魚等を取り込む際にも、一旦、釣竿先端を水平部材位置よりも遊戯者の手前側へ引き寄せて取り込む必要がある。
すなわち、架設した水平部材は、遊戯者が無意識に事故を起こしにくい釣竿操作をするように誘導することにより、事故の防止に寄与するものである。
【００２６】
支持柱は、釣竿先端の左右方向への振れ回りを防止する。
放流魚等から釣針が外れた反動で釣竿先端が左右方向へ振れるとき、釣竿先端は支持柱に衝突し、支持柱の位置を超えて左右方向へ振れることがない。また、遊技者が釣竿を振り過ぎた場合も同様に、釣竿先端の左右方向への振れが制限される。
そこで、釣竿先端の左右方向への振れ等により釣針が釣竿先端を中心として周囲を跳ね回ることに起因する事故を防止できる。
【００２７】
放流魚等の種類や釣竿長さ等から想定される釣り座間隔を基準として適当な支持柱間隔を設定すれば、物理的にも、心理的にも、遊戯者を適切な釣り座位置へと誘導し易くなる。
そこで、放流魚等の取り込み時の竿上げ、タモ入れなどには十分でありながらも事故が発生しにくい、適切な遊戯者間隔を確保し易くなる。
【図面の簡単な説明】
【００２８】
【図１】図１は釣り堀用水槽に設置する安全設備の実施方法を平面図により示した説明図である。（実施例１）
【図２】図２は、図１のＡ−Ａ線断面を示した説明図である。
【図３】図３は、図２のＣ付近を拡大して示した説明図である。
【考案を実施するための形態】
【００２９】
以下、本考案を実施するための形態を、適宜図１から図３を参照して説明する。
【００３０】
本考案の釣り堀水槽用の安全設備は、釣り堀用水槽３の水槽側壁３１上に設置した支持柱１と、かかる支持柱１の先端部に支持された水平部材２とから構成される。
支持柱１は、水槽側壁３１の湾曲部や屈曲部を除いた全周にわたって、釣り堀用水槽３の水槽側壁３１上に、略等間隔に設置する。
水平部材２は、支持柱１先端部で支持し、原則として、隣接する２本の支持柱の径間に架設する。水平部材２が可撓性のない材質である場合には、１本の支持柱で１本の水平部材を支持するようにしてもよい。
【００３１】
水平部材２は、釣竿先端の跳ね上がり等を防止するものであるから、水槽側壁３１から水槽３内側方向への「所定の水平距離」、及び水槽側壁３１の上縁から上方向への「所定の鉛直距離」は、釣竿の長さに応じて決定する必要がある。
また、「所定の鉛直距離」は、釣竿を持ち上げてアワセを入れるための十分な高さが確保されることも要求される。
【００３２】
したがって、釣竿の長さを Ｌr 、図３に示す水平距離 Ｌh 、及び鉛直距離 Ｌv とした場合、少なくとも、
Ｌr2  ＞  Ｌh2 ＋ Ｌv2 
となる必要がある。
これら水平距離 Ｌh 及び鉛直距離 Ｌv として、出願人においては、釣竿長さ Ｌr の半分程度の値を目安と考えている。
【００３３】
水平部材２は棒形状の棒状材、又は縄状の縄状材である。
棒状材としては、樹脂製ないし金属製のパイプ材やアングル材の使用、木製の棒材や柱材の使用等が考えられる。
縄状材としては、可撓性あるロープやワイヤーの使用、釣の道糸に用いられる釣糸の使用等が考えられる。
【００３４】
この水平部材２は支持柱１先端部で支持するが、縄状材、棒状材いずれも２本以上の支持柱の径間に架設する。棒状材を使用する場合には、１本の水平部材ごとに１本の支持柱先端部に支持することも可能である。
【００３５】
支持柱１は、水平部材２を所定の位置に支持するためのものである。
支持柱１の基礎部分は水槽側壁３１の上部に固定し、基礎部分から水槽３内側方向へ傾斜して設けられた支持柱１の先端部に水平部材２を固定する。
【００３６】
支持柱１の基礎部分を、水槽側壁３１の上部ないし上端面部分に固定する方法としては、例えば、（１）ボルト及びナット等の締結要素によって固定する、（２）支持柱基礎部分をクランプとして構成し、かかるクランプにより水槽側壁上部に固定する、等の方法が考えられる。
さらに、水槽側壁３１がコンクリート製等の場合には、（３）アンカーボルトを用いたり、水槽側壁上端にスタッドボルトを設けたりして固定する等のほか、（４）水槽側壁上端に支持柱基礎部分を直接に埋設して固定する等、種々の方法が考えられる。
【００３７】
支持柱１先端部で支持する水平部材２は、釣竿先端が水平部材２に衝突した際の衝撃により、水平部材２が支持柱１先端部から外れることのないよう、支持柱１先端部へしっかり固定する。
【００３８】
支持柱１先端部への水平部材２の固定方法としては、例えば、（１）ネジ止めにより固定する、（２）クランプを設けて固定する、（３）水平部材の末端部又は中間部に嵌装部を設け、支持柱先端部へ設けた嵌装孔や嵌装凹部等に嵌め込み固定する、等の方法が考えられる。
さらに、水平部材２が縄状材である場合には、（４）支持柱１先端部に水平部材を巻き付けるためのポストを設け、このポストに水平部材２を巻き付け又は結び付けて固定すること等も可能である。
【００３９】
水槽側壁が直線的に連続している区間、又は折れ線図形的に屈曲している区間に対しては、水平部材として棒状材、縄状材のいずれを使用しても、水槽側壁の内周形状に対応するように水平部材を架設できる。
【００４０】
しかし、水槽側壁の全部又は一部が湾曲している区間に水平部材として縄状材を使用すると、水平部材を架設しにくくなる。そうした区間に対しては、水平部材として棒状材を使用すればよい。
【００４１】
さらに、水槽側壁が直線的に連続する区間の水平部材としては縄状材を使用し、水槽側壁が湾曲又は屈曲する区間の水平部材としては棒状材を使用するといった具合に、縄状材と棒状材とを適宜組み合わせて使用することもできる。
【００４２】
水平部材は、水槽周囲の全ての釣り座において釣針による事故を防止できるように架設すべきである。
そこで、平面図に表れる水平部材の架設形状は、水槽側壁の全周において途切れることなく連続的に、その内周形状に対応するような形状となるよう架設することが望ましい。
【００４３】
しかし、水槽の周囲であっても、釣り座を設けない箇所ないし区間においてまで水平部材を架設する必要はない。
例えば、管理・清掃用のために管理者等が水槽に出入りする箇所や、水槽内の水又は海水等を循環させる場合の、外部からの循環水の導水箇所及び排水箇所等を含む区間には、遊戯者用の釣り座を設けないようにすることが考えられる。そうした区間には水平部材を架設しないこととして、隣接箇所で水平部材の末端を引留めることも考えられる。
【００４４】
同様に、支持柱１の配置やその本数、隣接する支持柱間の間隔や、水槽側壁と水平部材との水平距離等についても、水槽の周長や釣竿長さに応じて、できるだけ等間隔となるように配置することを原則としつつ、水槽の形状等に応じて支持柱及び水平部材を適切に設置・架設できるように決定すればよい。
【００４５】
例えば、水槽の角部分や、曲線的なコーナー部分に遊戯者が集中すると事故が起こりやすくなることも予想される。そうした箇所では水槽周囲の遊戯者用釣り座スペースを調節するため、支持柱の配置やその本数、あるいは水槽側壁と水平部材との水平距離を増減することが考えられる。
【実施例１】
【００４６】
以下、図１から図３を参照して実施例１を具体的に説明する。
【００４７】
本実施例は、屋内の床面上又は屋外の地面上に設置された水槽３を使用して、長さ約１ｍ程度の釣竿を用い、水槽３全周の周囲から釣りを楽しめる釣り堀の実施例である。例えば、オマール海老等、重量約４００グラムから１キログラム程度の放流魚等を釣り上げる釣り堀を想定している。
【００４８】
図１は釣り堀用水槽の一例を示す平面図であり、壁厚約１０ｃｍの水槽側壁３１は、横約２.５ｍ、縦約８ｍの長方形形状に表れている。
【００４９】
図２は同釣り堀用水槽の断面図である。その水槽側壁３１の高さは約１.１ｍで、水槽３は地面ないし床面上に設置されている。
水槽３の水槽側壁３１は、一例として、コンクリート製等の水槽の水槽側壁と同様に、中実壁として断面図を示してある。また水槽側壁３１の上端から約１０ｃｍ下に水面４を想像線で図示している。
図中に想像線で示した身長約１７０ｃｍの遊戯者及び長さ約１ｍの釣竿は、図１中のＢ位置で遊戯者が釣りをしているとの想定で示したものである。釣竿先端が水平部材２aより先に出ているとき、遊戯者は水平部材２aを超えて上方へ釣竿を持ち上げることができない。
【００５０】
図３は、図２中のＣ位置付近を拡大した説明図である。
水槽側壁３１の内壁面３１a及び外壁面３１bは、それぞれ水槽側壁３１の内周形状及び外周形状を与える面である。これら内外周の形状は、図１に外形線として長方形形状に表れている。
【００５１】
図１から図３において、１及び１a〜１jは支持柱である。この１a〜１jはそれぞれ１本の支持柱である。
支持柱１a〜１e、及び支持柱１f〜１jは、約１.７５ｍの間隔で設けられている。
隣接する支持柱１fと１aの間、及び支持柱１eと１jの間の区間は、平面図に長方形形状に表れる水槽側壁３１の短辺及びコーナー部分が含まれる区間であるため、本実施例では支持柱を設けていない。
【００５２】
また、２及び２a〜２dは水平部材である。縄状材としてロープ等を用いた１本の水平部材２のうち、直線的に架設した各区間を２a〜２dとして示している。
これら２a〜２d区間の水平部材２は、平面図に長方形形状に表れる水槽３の各辺に対応している。すなわち、２a〜２d区間の水平部材２は、水槽側壁３１の内周形状に対応して、長方形形状に架設されている。
【００５３】
図３において、支持柱基礎部分１１は、図示されていないボルト等によって水槽側壁３１上端面に固定されている。そして、支持柱１は支持柱基礎部分１１から水槽３の内側方向へ傾斜して上向きに設置されている。
この支持柱１先端に、水平部材２を巻き付けて固定支持する手段としてポスト１３が設けられている。ポスト１３は、水平部材２が外れるのを防止するため鉤形状となっている。
【００５４】
支持柱１は、その先端が、水槽側壁３１から水槽３内側方向へ約５０ｃｍの水平距離 Ｌh の位置になるように、また、水槽側壁３１の上端から上方向へ約５０ｃｍの鉛直距離 Ｌv の高さになるように設置されている。
この水平距離 Ｌh 、及び鉛直距離 Ｌv は、想定する釣竿の長さが約１ｍであることから、その半分の距離を目安としたものである。
【００５５】
水平部材２は水槽側壁３１上端から所定の水平距離及び鉛直距離の位置に架設されているため、遊戯者の釣竿操作を一定範囲に制限するが、釣りに必要な釣竿操作のための空間は確保されている。しかし、一旦釣針が外れた場合には、反動による釣竿の跳ね上がりを防止し、また遊戯者による釣竿の過剰動作・過剰操作を防止できる。
他の種類の放流魚等に対して異なる長さの釣竿を用いる場合は、支持柱１の寸法や配置、水平部材２の架設位置等を、釣竿長さ等に対応して適切なものとすることで、釣竿操作範囲の制限を最小に抑えつつ、釣針による事故防止を図ることができる。
【符号の説明】
【００５６】
１、１a〜１j    支持柱
２、２a〜２d    水平部材
３    釣り堀用水槽
３１    釣り堀用水槽の水槽側壁
４    仮想水面
【図１】
0003192046.tif 000003
【図２】
0003192046.tif 000004
【図３】
0003192046.tif 000005